(57)【要約】      （修正有）【課題】滑り止め突起の厚さはより薄いため、マット本体全体の厚さを減少可能であり、浴室のドアの前にマット本体を置いても、ドアを開けることが可能である浴室用マットを提供する。【解決手段】上面層２０と、ベース層３０と、背面吸着層４０と、から一体成形されるマット本体１０を備え、上面層２０には、滑り止め突起２１が複数設けられており、背面吸着層４０には、吸盤構造４２が複数設けられており、各吸盤構造４２は、突起部４２１の周縁から円心へ徐々に縮径し、外頂面に押付面４２２が設けられており、背面吸着層４０の硬さは、上面層２０の硬さより高く、上面層２０の硬さは、ベース層３０の硬さと同じ、又はベース層３０の硬さより高く、ベース層３０の厚さは、背面吸着層４０の厚さと同じ、又は背面吸着層４０の厚さより厚く、背面吸着層４０の厚さは、上面層２０の厚さより厚い。【選択図】図４
0003207685.tif 000002
【実用新案登録請求の範囲】
【請求項１】
上面層と、ベース層と、背面吸着層と、から一体成形されるマット本体を備え、
前記上面層には、滑り止め突起が複数設けられており、
前記背面吸着には、吸盤構造が複数設けられており、前記各吸盤構造は、突起部の周縁から円心へ徐々に縮径し、外頂面に押付面が設けられており、
前記背面吸着層の硬さは、前記上面層の硬さより高く、前記上面層の硬さは、前記ベース層の硬さと同じ、又は前記ベース層の硬さより高く、
前記ベース層の厚さは、前記背面吸着層の厚さと同じ、又は前記背面吸着層の厚さより厚く、前記背面吸着層の厚さは、前記上面層の厚さより厚いことを特徴とする浴室用マット。
【請求項２】
前記各突起部の高さは同一であり、又は互いに異なり、前記各滑り止め突起の形状は同一であり、又は互いに異なり、前記各滑り止め突起の厚さは、０．５〜０．７ｍｍであることを特徴とする、請求項１に記載の浴室用マット。
【請求項３】
前記マット本体には、長穴が少なくとも一つ設けられており、前記マット本体の厚さは、１１〜１６ｍｍであることを特徴とする、請求項１に記載の浴室用マット。
【考案の詳細な説明】
【技術分野】
【０００１】
本考案は、マットに関し、特に、マット本体の一面に柔らかい構造が設けられており、ユーザがマット本体を踏むときに心地が良くなり、且つ複数の滑り止め突起が設けられているため、ユーザの足部との摩擦力を増大して滑り止め効果を得ることが可能であり、マット本体の他面に吸盤が複数設けられており、吸盤面の中央に押付面が設けられているため、床面を良く吸着してマット本体が容易に変位しない浴室用マットに関するものである。
【背景技術】
【０００２】
図５及び図６を参照する。従来のマット本体７０は、上層７１と底層７２とを結合して構成される。上層７１と底層７２とは、モールドに樹脂を注入して成形される。このため、上層７１に形成される複数の滑り止め構造の体積はより大きい。そして発泡の時間が長いため、上層７１の表面の硬さはより高い。底層７２に吸盤面７２１が設けられており、吸盤面７２１の表面は平坦である。このため、従来のマット本体７０は、滑り止め効果が良くなく、床面を吸着する力が小さい。そして上層７１と底層７２とは、別々に作製して結合するため、マット本体７０の厚さはより厚い。これにより、浴室にマット本体７０を置くと、マット本体７０による障害により、ドアを開けることができない。
【考案の概要】
【考案が解決しようとする課題】
【０００３】
本考案の主な目的は、マット本体の上面層、ベース層及び背面吸着層が一体成形され、且つ上面層の各滑り止め突起が圧延加工によって成形されるため、滑り止め突起の厚さはより薄くなり、マット本体全体の厚さを減少可能であり、浴室のドアの前にマット本体を置いても、ドアを開けることが可能である浴室用マットを提供することにある。
【課題を解決するための手段】
【０００４】
本考案の浴室用マットによると、上面層と、ベース層と、背面吸着層と、から一体成形されるマット本体を備え、
上面層には、滑り止め突起が複数設けられており、
背面吸着層には、吸盤構造が複数設けられており、各吸盤構造は、突起部の周縁から円心へ徐々に縮径し、外頂面に押付面が設けられており、
背面吸着層の硬さは、上面層の硬さより高く、上面層の硬さは、ベース層の硬さと同じ、又はベース層の硬さより高く、
ベース層の厚さは、背面吸着層の厚さと同じ、又は背面吸着層の厚さより厚く、背面吸着層の厚さは、上面層の厚さより厚いことを特徴とする。
【０００５】
本考案の浴室用マットによると、各突起部の高さは同一であり、又は互いに異なり、各滑り止め突起の形状は同一であり、又は互いに異なり、各滑り止め突起の厚さは、０．５〜０．７ｍｍであることを特徴とする。
【０００６】
本考案の浴室用マットによると、マット本体には、長穴が少なくとも一つ設けられており、マット本体の厚さは、１１〜１６ｍｍであることを特徴とする。
【考案の効果】
【０００７】
本考案の浴室用マットによれば、次のような効果がある。
（１）マット本体の上面層、ベース層及び背面吸着層が一体成形され、且つ上面層の各滑り止め突起が圧延加工によって成形されるため、滑り止め突起の厚さはより薄くなり、マット本体全体の厚さを減少可能であり、浴室のドアの前にマット本体を置いても、ドアを開けることが可能である。
【０００８】
（２）上面層とベース層と背面吸着層との硬さは互いに異なり、背面吸着層の硬さは上面層の硬さより高く、上面層の硬さは、ベース層の硬さと同じ、又はベース層の硬さより高いため、ユーザが上面層を踏むときに、ベース層により緩衝効果を得ることが可能であり、そして上面層の硬さがより低いため、ユーザがマット本体を踏むときに心地が良くなる。
【０００９】
（３）水は、マット本体に落下するときに、長穴を通過して下方へ流し、背面吸着層の各吸盤構造は一定の高さを有するため、水が各吸盤構造の間にある隙間を通過し、水が長穴に溜まることにより細菌が繁殖することは発生しない。
【図面の簡単な説明】
【００１０】
【図１】本考案の一実施の形態に係る浴室用マットを示す模式図である。
【図２】本考案に係る上面層を示す斜視図であり、（Ａ）は本考案に係る上面層を示す拡大斜視図である。
【図３】本考案に係る背面吸着層を示す斜視図であり、（Ａ）は本考案に係る背面吸着層を示す拡大斜視図である。
【図４】本考案の実施の形態に係る浴室用マットを示す側面図であり、（Ａ）は本考案に係る背面吸着層を示す拡大図、（Ｂ）は本考案に係る上面層を示す拡大図である。
【図５】従来の浴室用マットを示す斜視図であり、（Ａ）は従来の浴室用マットを示す拡大図である。
【図６】従来の浴室用マットを示す側面図である。
【考案を実施するための形態】
【００１１】
以下、本考案の実施の形態を図面に基づいて説明する。
【００１２】
まず、図１から図４を参照する。本考案の一実施の形態に係る浴室用マットは、上面層２０と、ベース層３０と、背面吸着層４０と、から一体成形されるマット本体１０を備える。上面層２０には、滑り止め突起２１が複数設けられている。背面吸着層４０には、吸盤構造４２が複数設けられている。各吸盤構造４２は、突起部４２１の周縁から円心へ徐々に縮径し、外頂面に押付面４２２が設けられている。背面吸着層４０の硬さは、上面層２０の硬さより高い。上面層２０の硬さは、ベース層３０の硬さと同じ、又はベース層３０の硬さより高い。ベース層３０の厚さは、背面吸着層４０の厚さと同じ、又は背面吸着層４０の厚さより厚い。背面吸着層４０の厚さは、上面層２０の厚さより厚い。
【００１３】
各突起部４２１の高さは、同一であり、又は互いに異なる。
【００１４】
各滑り止め突起の形状は、同一であり、又は互いに異なる。
【００１５】
マット本体１０には、長穴５０が少なくとも一つ設けられている。
【００１６】
各滑り止め突起２１の厚さは、０．５〜０．７ｍｍである。
【００１７】
マット本体１０の厚さは、１１〜１６ｍｍである。
【００１８】
本考案に係る浴室用マットの作製方法は、まず、素材を投入して発泡して、上面層２０、ベース層３０及び背面吸着層４０が成形された後、予定の寸法にこれらを切断する。この後、上面層２０を加熱して軟化して、模様が付けられているロールによって上面層２０を圧延することにより、各滑り止め突起２１が形成される。滑り止め突起２１の形状は、ロールに付けられている模様によって決まる。ユーザは、異なる模様が付けられているロールによって上面層２０を圧延することにより、滑り止め突起２１を異なる形状にしてもよい。
【００１９】
次に、図１を参照しながら、本考案に係る浴室用マットの使用方法を説明する。まず、適当の位置にマット本体１０を敷設する。マット本体１０の厚さは、より薄く、１１〜１６ｍｍであるため、ドア６０を開閉可能な位置にマット本体１０を敷設しても、ドア６０の開閉はマット本体１０に妨害されない。
【００２０】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２１】
本考案は、浴室用マットに適用することができる。
【符号の説明】
【００２２】
１０  マット本体
２０  上面層
２１  滑り止め突起
３０  ベース層
４０  背面吸着層
４２  吸盤構造
５０  長穴
６０  ドア
７０  マット本体
７１  上層
７２  底層
４２１  突起部
４２２  押付面
７１１  滑り止め構造
７２１  吸盤面
【図１】
0003207685.tif 000003
【図２】
0003207685.tif 000004
【図３】
0003207685.tif 000005
【図４】
0003207685.tif 000006
【図５】
0003207685.tif 000007
【図６】
0003207685.tif 000008